(57)【要約】【課題】  個人が所有する携帯電話の電話帳情報を携帯電話事業者が管理するデータベースで一元管理し、かつ携帯電話加入者が任意の電話から目的の相手に接続することの可能な情報通信システムを提供する。【解決手段】  情報端末装置からＩＮサービスの要求を受ける移動交換局と、係る要求を受けてからサービスを実行するサービス制御ポイントと、このサービス制御ポイントが受信した情報を格納するデータベースと、を含むＩＮ方式による情報通信システムにおいて、音声認識機能を有し、サービス制御ポイントのサービスの起動指示を受け、移動交換局が受信した発信者からの音声情報をテキスト情報に変換してサービス制御ポイントに送出する特殊リソース機能部を更に備え、テキスト情報に対応する情報をデータベースから検索し、該当した場合は自動的に前述の情報に対応する相手に対して着信転送を実行させる機能を有することを特徴とする。【選択図】      図２
2006109195.tif 000002
【特許請求の範囲】
【請求項１】
情報端末装置からインテリジェント・ネットワーク・サービスの要求を受ける移動交換局と、前記要求を受けてから前記サービスを実行するサービス制御ポイントと、このサービス制御ポイントが受信した情報を格納するデータベースと、を含むインテリジェント・ネットワーク方式による情報通信システムにおいて、
音声認識機能を有し、前記サービス制御ポイントの前記サービスの起動指示を受け、前記移動交換局が受信した発信者からの音声情報をテキスト情報に変換した後に、前記サービス制御ポイントに対して前記テキスト情報を送出する特殊リソース機能部を更に備え、
前記テキスト情報に対応する前記情報を前記データベースから検索し、該当した場合は自動的に前記情報に対応する相手に対して着信転送を実行させる機能を有することを特徴とする、情報通信システム。
【請求項２】
前記データベースに格納される前記情報は、送信先電話番号情報であることを特徴とする、請求項１に記載の情報通信システム。
【請求項３】
前記移動交換局と前記サービス制御ポイントの間には、前記移動交換局からの前記サービスの要求がある場合に、前記サービス制御ポイントに前記サービスの起動を指示するサービス交換機能が設けられ、
前記着信転送において、前記サービス制御ポイントから前記サービス交換機能に対する接続指示の信号上に転送系パラメータを設定しないことを特徴とする、請求項１または２に記載の情報通信システム。
【請求項４】
情報端末装置からインテリジェント・ネットワーク・サービスの要求を受ける移動交換局と、前記要求を受けてから前記サービスを実行するサービス制御ポイントと、このサービス制御ポイントが受信した情報を格納するデータベースと、を含むインテリジェント・ネットワーク方式を用いた情報通信システムによる音声認識接続サービス方法において、
音声認識機能を有し、前記サービス制御ポイントの前記サービスの起動指示を受け、前記移動交換局が受信した発信者からの音声情報をテキスト情報に変換した後に、前記サービス制御ポイントに対して前記テキスト情報を送出する特殊リソース機能部が前記情報通信システムに設けられ、
一の情報端末装置に登録された情報を前記データベースに格納する情報登録工程と、
前記特殊リソース機能部と前記サービス制御ポイントとの間の信号用パス、及び他の情報端末装置と前記特殊リソース機能部との間の音声パスを接続させるパス接続工程と、
前記他の情報端末装置からの音声情報を前記特殊リソース機能部で認識する音声認識工程と、
前記音声情報を元に送信先へ接続する送信先接続工程と、を含むことを特徴とする情報通信システムによる音声認識接続サービス方法。
【請求項５】
前記音声認識工程には、前記テキスト情報に対応する前記情報を前記データベースから検索する工程が含まれ、
前記送信先接続工程には、前記データベースに該当する情報を有する場合、自動的に前記情報に対応する相手に対して着信転送を実行させる工程を含むことを特徴とする、請求項４に記載の情報通信システムによる音声認識接続サービス方法。
【請求項６】
前記移動交換局と前記サービス制御ポイントの間には、前記移動交換局からの前記サービスの要求がある場合に、前記サービス制御ポイントに前記サービスの起動を指示するサービス交換機能が設けられ、
前記送信先接続工程において、前記サービス制御ポイントから前記サービス交換機能に対する接続指示の信号上に転送系パラメータを設定しないことを特徴とする、請求項４に記載の情報通信システムによる音声認識接続サービス方法。
【発明の詳細な説明】
【技術分野】
【０００１】
本発明は、インテリジェント・ネットワーク方式による情報通信システムに係り、特に音声認識によって加入者が任意の電話機からデータベースにアクセスし、かつ接続させることを可能とする情報通信システムに関する。
【背景技術】
【０００２】
近年、携帯電話やＰＨＳといった移動通信端末装置は、音声認識技術を利用した電話番号検索や電話番号発信、機能呼び出し等ができる。例えば、相手の名前を受話器またはこれに代替する機器（マイクロホン、外部接続機器等）に向けて発声した言葉を基に、目的の電話帳または電話番号が検索でき、手入力によるキー操作の煩わしさが改善される。
【０００３】
上記音声認識機能に関する従来技術として、一般の電話網で使用される交換機システムにおいて、音声認識技術を用いることにより発信者が発話した氏名から、それに対応する電話番号を、一般に配布されている電話帳のデータを記録しているデータベースから検索し、該当する番号があった場合、その番号に転送する技術が公開されている（特許文献１参照）。この技術では、主に電話交換機、音声認識装置、及び電話帳ファイルから構成されるシステムによって実現されている。なお、検索対象の氏名が複数人登録されていた場合は、さらに住所による絞り込み検索が可能であり、また音声認識が困難であった場合は、人間が対応する電話番号案内へ接続する機能も提供されている。
【０００４】
また、インテリジェント・ネットワーク方式（Intelligent Network；以下、ＩＮ方式と称する。）を具備した携帯電話網では、サービス制御ポイント（Service Control Point；以下、ＳＣＰと称する。）がサービス交換機能（Service Switching Function；以下、ＳＳＦと称する。）に対して着信転送の指示を送ることにより移動交換局（Mobile Switching Center；以下、ＭＳＣと称する。）上で着信転送サービスを起動することを可能としている（非特許文献１参照）。その場合、ＣＤＲ（Call Detail Record；発信詳細記録）は、発信者と転送元交換機間、及び転送元交換機と着信者間の２つの区間でそれぞれ出力される（非特許文献２参照）。
【０００５】
上述した各従来技術は、発信者が発話する氏名、住所等の音声を認識し、その情報をキーにして一般に配布されている電話帳のデータベースから該当する電話番号を検索して接続する機能を実現している。これにより手元に電話帳が無い場合でも簡便に、目的の相手に発呼することが可能となると同時に、電話通信事業者が提供する電話番号案内も大幅に簡易化される。
【０００６】
【特許文献１】特開昭５６−０６４５８７号公報
【非特許文献１】3GPP「TS23.078（Technical Specification Group Core Network;Customised Applications for Mobile network Enhanced Logic(CAMEL) Phase 3 - Stage 2(Release 1999)）」
【非特許文献２】3GPP「TS32.005（Technical Specification Group Services and System Aspects;Telecommunication management;Charging and billing;3G call and event data for the Circuit Switched (CS) domain(Release 1999)）」
【発明の開示】
【発明が解決しようとする課題】
【０００７】
しかしながら、検索の対象であるデータベースは、一般に配布されている電話帳であるため、各個人が管理する携帯電話機等に具備する電話帳からは検索することはできない。一般の電話利用に関しては、個人が管理する電話番号に発信するケースの方が多いと考えられ、さらに携帯電話を利用する機会が増加している昨今では、個人の電話帳情報を携帯電話で一括管理していることも少なくないと考えられるため、手元に携帯電話が無い場合などは、電話番号を検索する手段が無い事態も想定される。
【０００８】
また、携帯電話網の交換機において具備されるインテリジェント・ネットワーク（以降、ＩＮと呼ぶ）方式による着信転送を実施した場合、転送元交換機の位置にもよるが、発信者と転送元交換機間、及び転送元交換機と着信者間における２つの課金区間の合計が、発信者が着信転送を用いずに直接発信した場合の課金区間よりも長くなることも懸念されている。
【０００９】
そこで、本発明は、従来の携帯電話網の交換機において具備されるＩＮ方式による情報通信システムが有する上記問題点に鑑みてなされたものであり、本発明の目的は、個人が所有する携帯電話の電話帳情報を携帯電話事業者が管理するデータベースで一元管理し、かつ携帯電話加入者が公衆電話等の任意の電話から目的の相手に接続することの可能な、新規かつ改良された携帯電話網の交換機において具備されるＩＮ方式による情報通信システムを提供することである。
【００１０】
また、交換機の呼制御上において、着信転送の機能を使用しつつも、課金上は着信転送を用いない通常の通話と同等の課金形態を実現することを可能とする新規かつ改良された携帯電話網の交換機において具備されるＩＮ方式による情報通信システムを提供することである。
【課題を解決するための手段】
【００１１】
上記課題を解決するために、本発明のある観点によれば、情報端末装置からインテリジェント・ネットワーク・サービスの要求を受ける移動交換局と、係る要求を受けてからサービスを実行するサービス制御ポイントと、このサービス制御ポイントが受信した情報を格納するデータベースと、を含むインテリジェント・ネットワーク方式による情報通信システムにおいて、音声認識機能を有し、サービス制御ポイントのサービスの起動指示を受け、移動交換局が受信した発信者からの音声情報をテキスト情報に変換した後に、サービス制御ポイントに対してテキスト情報を送出する特殊リソース機能部を更に備え、テキスト情報に対応する情報をデータベースから検索し、該当した場合は自動的に前述の情報に対応する相手に対して着信転送を実行させる機能を有することを特徴とする、情報通信システムが提供される。
【００１２】
このとき、データベースに格納される上述の情報は、送信先電話番号情報であることとしてもよい。
【００１３】
このような構成とすることにより、上記のＩＮ方式及び音声認識機能を具備する特殊リソース機能部（Specialised resource function；以下、ＳＲＦと称する。）を用いることにより、従来の技術である交換機と音声認識装置とで構成する音声認識接続機能が、ＳＣＰのプログラムを開発することのみで実現可能である。さらに、携帯電話機内の電話帳情報をデータベースに登録することも、移動体通信で移動交換局に関するデータを管理するデータベースである位置情報レジスタ（Home Location Register；以下、ＨＬＲと称する。）とＳＣＰのプログラムを開発することのみで実現可能となる。
【００１４】
また、このとき、移動交換局とサービス制御ポイントの間には、移動交換局からのＩＮ方式サービスの要求がある場合に、サービス制御ポイントにＩＮ方式サービスの起動を指示するサービス交換機能が設けられ、上述の着信転送において、サービス制御ポイントからサービス交換機能に対する接続指示の信号上に転送系パラメータを設定しないこととしてもよい。
【００１５】
このような構成とすることにより、ＳＳＦからの指示情報上に転送系パラメータが無い場合に着信転送用の課金を行わず、発信者から最終着信者間の課金とする機能を具備するＭＳＣを実現することにより、発信者に対する課金は、通常の発呼時と同様に発信者と着信者間での課金区分とすることが可能となる。
【００１６】
また、上記課題を解決するために、本発明の他の観点によれば、情報端末装置からインテリジェント・ネットワーク・サービスの要求を受ける移動交換局と、前述の要求を受けてからサービスを実行するサービス制御ポイントと、このサービス制御ポイントが受信した情報を格納するデータベースと、を含むインテリジェント・ネットワーク方式を用いた情報通信システムによる音声認識接続サービス方法において、音声認識機能を有し、サービス制御ポイントのサービスの起動指示を受け、移動交換局が受信した発信者からの音声情報をテキスト情報に変換した後に、サービス制御ポイントに対してテキスト情報を送出する特殊リソース機能部が情報通信システムに設けられ、一の情報端末装置に登録された情報をデータベースに格納する情報登録工程と、特殊リソース機能部とサービス制御ポイントとの間の信号用パス、及び他の情報端末装置と特殊リソース機能部との間の音声パスを接続させるパス接続工程と、他の情報端末装置からの音声情報を特殊リソース機能部で認識する音声認識工程と、音声情報を元に送信先へ接続する送信先接続工程と、を含むことを特徴とする情報通信システムによる音声認識接続サービス方法が提供される。
【００１７】
このような構成とすることにより、個人が所有する携帯電話機等の情報端末装置の電話帳情報を携帯電話事業者が管理するデータベースで一元管理し、かつ携帯電話加入者が任意の公衆電話機等の電話から目的の相手に接続すること情報通信システムによる音声認識接続サービスが実現される。
【発明の効果】
【００１８】
以上説明したように本発明によれば、ＩＮ方式を具備する携帯電話網において、携帯電話への電話番号登録を行う際に、同時に携帯電話事業者へのデータベースに登録し、また、携帯電話が手元に無い場合においても、公衆電話等の任意の電話から、個人のデータベースにアクセスし容易に発呼するサービスを提供することを可能とさせる。
【００１９】
また、ＩＮ方式による着信転送方式を用いた際に、課金区間を発信者−着信者間の一つにすることにより、発信者に対する過剰な課金を回避することを可能とする。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１の実施の形態）
まず、本発明の第１の実施の形態における情報通信システムの構成について図面を使用しながら説明する。図１は、本発明の第１の実施の形態における情報通信システム１００において、携帯電話加入者が電話番号情報を電話帳データベースに登録する場合の構成を示し、図２は、同実施の形態における情報通信システムのＩＮ方式サービス実施の構成を示す図である。
【００２２】
図１に示すように、本実施の形態の情報通信システム１００において、携帯電話機等の情報端末装置１０２と無線接続されるＭＳＣ１０４は、移動体通信でＭＳＣ１０４に関するデータを管理するデータベースであるＨＬＲ１０６を介してＳＣＰ１０８に接続されている。ＳＣＰ１０８は、サービスの起動・終了・一時停止・続行・その他のサービスを制御するためのユーザインタフェースを提供する。なお、ＨＬＲ１０６及びＳＣＰ１０８は、受信したデータ等を格納するデータベース１１０、１１２と接続されている。
【００２３】
携帯電話加入者は、氏名及び電話番号を携帯電話機１０２に登録する。携帯電話機１０２は、ＭＳＣ１０４に対して上述の氏名及び電話番号の情報を送信し、ＭＳＣ１０４は、ＨＬＲ１０６に対してその情報を透過で送信する。
【００２４】
ＨＬＲ１０６は、携帯電話機１０２からの氏名及び電話番号を受信し、ＳＣＰ１０８に対して転送を行う。ＳＣＰ１０８は、受信した情報をデータベース１１２に送信する。データベース１１２は、送信された情報を登録する。
【００２５】
次に、同実施の形態における情報通信システム１００のＩＮ方式サービス実施の構成について図２を使用しながら説明する。
【００２６】
図２に示すように、発信側の電話機１１４は、ＭＳＣ１０４及び着信側交換機１１６を介して着信側電話機１１８と接続される。また、ＭＳＣ１０４とＳＣＰ１０８との間には、ＳＳＦ１２０が設けられている。さらに、ＭＳＣ１０４には、ＳＲＦ１２２が接続されている。
【００２７】
発信者は、固定電話機、公衆電話等の任意の電話機１１４から本サービス起動用の電話番号で発呼し、ガイダンス指示に従って目的の相手の氏名情報を発する。ＭＳＣ１０４は、本サービスの着信呼を受け付け、ＳＳＦ１２０に対してＩＮの起動のトリガがあったことを報告する。
【００２８】
ＳＳＦ１２０は、ＭＳＣ１０４からのＩＮの起動のトリガ報告を受け、ＳＣＰ１０８に対してＩＮの起動を指示する。また、ＩＮ起動後は、ＳＣＰ１０８からの制御指示を受信し、必要に応じてＭＳＣ１０４に対して呼制御の指示を送る。ＳＣＰ１０８は、ＳＳＦ１２０からのＩＮの起動指示を受け、本サービスを開始する。
【００２９】
サービスのプログラムに従って加入者からの情報収集、データベースへのアクセス、該当する電話番号への転送指示をＳＳＦ１２０に対して行う。ＳＲＦ１２２は、ＳＣＰ１０８からの起動指示を受け、発信者に対してガイダンスの送出、発信者からの音声を認識し、テキスト情報に変換した後にＳＣＰ１０８に対してそれらの情報を送出する。データベース１１２は、ＳＣＰ１０８からのテキスト情報を受信し、該当する電話番号に変換する。
【００３０】
次に、本実施の形態における情報通信システムの音声認識によって加入者が任意の電話機からデータベースにアクセスし、かつ接続させるＩＮ方式によるサービスの動作について、図面を使用しながら説明する。図３は、本実施の形態における情報通信システム１００による音声認識接続サービスの全体動作を説明するためのフローチャートであり、図４は、携帯電話機等の電話番号情報を本実施の形態の情報通信システム１００に備わるデータベース１１２へ登録する方法を説明するためのフローチャートであり、図５は、本実施の形態における情報通信システム１００のＩＮ方式サービスを実施する際のパス接続の動作を説明するためのフローチャートであり、図６は、本実施の形態における情報通信システム１００のＩＮ方式サービスを実施する際の音声認識及び送信先へ接続する動作を説明するためのフローチャートである。
【００３１】
最初に、図３を使用して、本実施の形態における情報通信システム１００による音声認識接続サービスの全体動作について説明する。図３に示すように、本実施の形態における情報通信システム１００によって音声を認識することにより発信者側と着信者側の電話機の接続サービスは、情報登録工程Ｓ２０と、パス接続工程Ｓ３０と、音声認識工程Ｓ４０と、及び送信先接続工程Ｓ５０と、を含む。
【００３２】
情報登録工程Ｓ２０では、携帯電話加入者の所有する携帯電話機１０２に登録された氏名や電話番号の情報を本実施の形態における情報通信システム１００に備わるデータベース１１２に登録する工程である。パス接続工程Ｓ３０は、ＳＲＦ１２２−ＳＣＰ１０８間に通す信号用パス及び電話機１１４−ＳＲＦ１２２間に介する音声パスを接続させる工程である。音声認識工程Ｓ４０は、携帯電話加入者が任意の電話機から発呼して、本実施の携帯の情報通信システムに音声認識させる工程である。送信先接続工程Ｓ５０は、認識した音声を元に送信先へ接続させる工程である。なお、各工程の詳細については、後述するものとする。
【００３３】
次に図１及び図４を用いて、電話番号情報のデータベースへの登録方法となる情報登録工程Ｓ２０について説明する。
【００３４】
携帯電話加入者が携帯電話機１０２に氏名と電話番号を登録した時、携帯電話機１０２のディスプレイ上のメニューで同時にデータベースの登録促すメッセージを表示する。そして、加入者が登録を許容した場合、携帯電話機１０２は、ＵＳＳＤ（Unstructed Supplementary Service Date）手順でＭＡＰ（Mobile Application Part;移動通信応用部）信号によりＭＳＣ１０４に対して氏名と電話番号の情報を送信する（Ｓ２０２）。
【００３５】
ＭＳＣ１０４は、その情報をＭＡＰ信号でＨＬＲ１０６に中継する（Ｓ２０４）。ＨＬＲ１０６では、情報を受信し、サービス加入情報用のデータベース１１０にアクセスする（Ｓ２０６）。
【００３６】
データベース１１０上の加入者の情報に本サービスが登録されている場合は、ＭＡＰ信号によってＳＣＰ１０８に対して氏名と電話番号の情報を転送する（Ｓ２０８）。
【００３７】
ＳＣＰ１０８は、その転送された情報を受信し個人の電話帳データ用のデータベース１１２へ転送する（Ｓ２１０）。そして、転送された前述の情報がデータベース１１２に登録される（Ｓ２１２）。
【００３８】
次に図２及び図５を用いて、携帯電話加入者が任意の電話機から発呼し、本実施の形態の情報通信システムにおける音声認識接続サービスを実施する際のパス接続方法となるパス接続工程Ｓ３０について説明する。
【００３９】
まず、携帯電話加入者は、固定電話機、公衆電話等の任意の電話機１１４から、本サービスのための電話番号（代表的な番号）で発呼する（Ｓ３００）。ＭＳＣ１０４は、電話機１１４からの発呼を受信し、電話番号を翻訳した結果、ＨＬＲ１０６にアクセスする番号であることを認識し、ＭＡＰ信号にてＨＬＲ１０６に対して電話番号を送信する（Ｓ３０２）。
【００４０】
ＨＬＲ１０６は、電話番号から本サービス用の電話番号であることを認識し、ＭＳＣ１０４に対して、ＩＮ起動用に一意に割り当てられた本サービスのサービス番号と共にＩＮ起動が必要であることを示すＭＡＰ信号をＭＳＣ１０４に対して返送する（Ｓ３０４）。ＭＳＣ１０４は、これを受けた場合、ＳＳＦ１２０に対してＩＮ起動のトリガがあったことを報告する（Ｓ３０６）。
【００４１】
ＳＳＦ１２０は、その報告を受け、ＣＡＰ（CAMEL Application Part；ＣＡＭＥＬ応用部）手順によりＳＣＰ１０８に対してサービス番号と共にＩＮ起動を通知する（Ｓ３０８）。ＳＣＰ１０８は、これを受けて本サービスのプログラムを起動する（Ｓ３１０）。ＳＣＰ１０８は、ＣＡＰ信号により、ＳＳＦ１２０に対してＳＲＦ１２２への接続指示を要求する（Ｓ３１２）。
【００４２】
ＳＳＦ１２０は、これを受けてＭＳＣ１０４に対してＳＲＦ１２２の接続指示を行う（Ｓ３１４）。ＭＳＣ１０４は、これによりＳＲＦ１２２との間にＣＡＰ信号用のパスと音声パスを接続する（Ｓ３１６）。これによって、ＣＡＰ信号のパスは、ＳＲＦ１２２−ＳＣＰ１０８間（ＭＳＣ１０４とＳＳＦ１２０は透過中継する）、及び音声パスは、電話機１１４−ＳＲＦ１２２間が接続されることになる。
【００４３】
次に図２及び図６を用いて、携帯電話加入者が任意の電話機から発呼し、本実施の形態の情報通信システムにおける音声認識接続サービスを実施する際の音声認識工程Ｓ４０と、及び送信先接続工程Ｓ５０について説明する。
【００４４】
上述のようにＣＡＰ信号のパス及び音声パスを接続後、ＳＣＰ１０８は、ＳＲＦ１２２に指示を送ることにより、発信者に対して加入者番号と暗証番号の入力を促すガイダンスを送出する（Ｓ４００）。そして、ＳＲＦ１２２は、発信者から受信した前述の加入者番号及び暗証番号の情報をＳＣＰ１０８に対して送信する（Ｓ４０２）。ＳＣＰ１０８は、これら加入者番号と暗証番号の正当性を確認したのち、発信者に対して接続させる相手の氏名の発話を促すガイダンスを送出する指示をＳＲＦ１２２へ送る（Ｓ４０４）。
【００４５】
ＳＲＦ１２２は、これを受けて発信者に対してガイダンスを送出し（Ｓ４０６）、発信者からの音声情報入力待ち状態に遷移する。発信者から氏名の音声情報を受信した時、ＳＲＦ１２２は、それをテキスト情報に変換し、ＣＡＰ信号によりＳＣＰ１０８に対してそのテキスト情報を送信する（Ｓ４０８）。
【００４６】
ＳＣＰ１０８は、それを受信した時、データベース１１２に対して検索の指示を行う（Ｓ４１０）。データベース１１２は、そのテキスト情報に対応する電話番号を検索し、該当データが存在した時はＳＣＰ１０８に対してその情報を返送する（Ｓ４１２）。
【００４７】
ＳＣＰ１０８は、それを受けてＳＳＦ１２０に対してＳＲＦ１２２との接続の切断指示を送る（Ｓ５０２）。これによりＣＡＰ信号のパスと音声パスは、ＳＲＦ１２２接続前の状態に戻る（Ｓ５０４）。換言すると、ＳＲＦ１２２−ＳＣＰ１０８間に通す信号用パス及び電話機１１４−ＳＲＦ１２２間に介する音声パスが切断される。その後、ＳＣＰ１０８は、さらにＳＳＦ１２０に対して該当した電話番号への接続指示のＣＡＰ信号を送信する（Ｓ５０６）。これにより、発信側電話機１１４と着信側電話機１１８がＭＳＣ１０４及び着信側交換機１１６を介して接続される（Ｓ５０８）。
【００４８】
この時に用いる接続指示用のＣＡＰ信号について図７を用いて説明する。接続指示オペレーション１３０上には、着信者を示す接続先番号パラメータ１３２の他に着信転送時に使用するパラメータとして、転送情報パラメータ１３４、第一着番号パラメータ１３６、転送元番号パラメータ１３８（以降、３つ合わせて転送系パラメータと呼ぶ）を設定するが、ＳＣＰ１０８は、これらの転送系パラメータを一切設定しない。
【００４９】
この時、ＳＳＦ１２０は、ＭＳＣ１０４に対して受信した電話番号への転送を指示する。但し、ＳＣＰ１０８から受信した接続指示上には、転送系パラメータが設定されていないため、この場合、ＭＳＣ１０４は、呼制御上では着信転送を実施するが、着側交換機１１６に送出するルーチング情報は、着番号のみを変更し、転送系パラメータを一切設定しない。
【００５０】
さらに本実施の形態の情報通信システムによる音声認識接続サービスにおいて、ＭＳＣ１０４は、課金の区間を発信者から転送元の間と転送元から着信者間の２区間に分割せず、転送元を無視することにより、課金の区間を発信者から着信者の１区間に変更することが可能である。
【００５１】
この時の課金区間について図面を使用しながら説明する。図８は、本実施の形態の情報通信システムによる音声認識接続サービスでの発信側電話機１１４と着信側電話機１１８との接続における課金区間のイメージ図であり、（ａ）は、発信側電話機１１４−ＭＳＣ１０４間とＭＳＣ１０４−着信側電話機１１８間との課金区間を２区間に分割したときのイメージ図であり、（ｂ）は、発信側電話機１１４−ＭＳＣ１０４間とＭＳＣ１０４−着信側電話機１１８間との課金区間を分割せず１区間に変更したときのイメージ図である。
【００５２】
通常の情報通信システムでの発信者側と着信者側の電話機１１４、１１８の接続では、図８（ａ）で示すように、課金区間は発信側電話機１１４−ＭＳＣ１０４間の課金区間８００とＭＳＣ１０４−着信側電話機１１８間の課金区間８０２に分割される。このため、もしＭＳＣ１０４が発信側電話機１１４と着信側電話機１１８を結ぶ最短の線８０４上に位置していない場合、課金区間８００と課金区間８０２の合計は、図８（ｂ）の接続図に示す課金区間８０６よりも長くなってしまう。このため、発信者には、通常に発信する場合に比べて過剰の課金を行ってしまうことになる。
【００５３】
しかしながら、本実施の形態の情報通信システムによる音声認識接続サービスでの発信側電話機と着信側電話機との接続の際には、上述したように着側交換機１１６に送出するルーチング情報は、着番号のみを変更し、転送系パラメータを一切設定しないため、発信側電話機１１４−ＭＳＣ１０４間とＭＳＣ１０４−着信側電話機１１８間との課金区間を分割せず、図６（ｂ）に示すように課金区間を１区間に変更した場合と同様になるため、余分な課金を回避することが可能となる。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５５】
例えば、第１の実施の形態では、情報端末装置として携帯電話機に登録されている電話番号等のデータを、本実施の形態の情報通信システムに備わるデータベースに登録して、音声認識接続サービスを実行しているが、ＰＤＡ等の他の情報端末装置に登録されている電話番号等のデータを、本実施の形態の情報通信システムに備わるデータベースに登録して、音声認識接続サービスを実行することも可能である。
【産業上の利用可能性】
【００５６】
本発明は、情報通信システムに適用可能であり、特に音声認識接続サービスを実行する情報通信システムに適用可能である。
【図面の簡単な説明】
【００５７】
【図１】図１は、本発明の第１の実施の形態における情報通信システムにおいて、携帯電話加入者が電話番号情報を電話帳データベースに登録する場合の構成を示す図である。
【図２】図２は、同実施の形態における情報通信システムのＩＮ方式サービス実施の構成を示す図である。
【図３】図３は、同実施の形態における情報通信システムによる音声認識接続サービスの全体動作を説明するためのフローチャートである。
【図４】図４は、携帯電話機等の電話番号情報を本実施の形態の情報通信システムに備わるデータベースへ登録する方法を説明するためのフローチャートである。
【図５】図５は、本実施の形態における情報通信システムのＩＮ方式サービスを実施する際のパス接続の動作を説明するためのフローチャートである。
【図６】図６は、本実施の形態における情報通信システム１００のＩＮ方式サービスを実施する際の音声認識及び送信先へ接続する動作を説明するためのフローチャートである。
【図７】図７は、接続指示用のＣＡＰ信号の構成を説明するための図である。
【図８】図８は、同実施の形態の情報通信システムによる音声認識接続サービスでの発信側電話機と着信側電話機との接続における課金区間のイメージ図であり、（ａ）は、発信側電話機−ＭＳＣ間とＭＳＣ−着信側電話機間との課金区間を２区間に分割したときのイメージ図であり、（ｂ）は、発信側電話機−ＭＳＣ間とＭＳＣ−着信側電話機間との課金区間を分割せず１区間に変更したときのイメージ図である。
【符号の説明】
【００５８】
１００    情報通信システム
１０２    携帯電話機
１０４    ＭＳＣ
１０６    ＨＬＲ
１０８    ＳＣＰ
１１０、１１２    データベース
１１４    発信側電話機
１１６    着信側交換機
１１８    着信側電話機
１２０    ＳＳＦ
１２２    ＳＲＦ
【図１】
2006109195.tif 000003
【図２】
2006109195.tif 000004
【図３】
2006109195.tif 000005
【図４】
2006109195.tif 000006
【図５】
2006109195.tif 000007
【図６】
2006109195.tif 000008
【図７】
2006109195.tif 000009
【図８】
2006109195.tif 000010